(57)【要約】【目的】  録画失敗に対するユーザの誤認や不満を解消することができるディジタル放送受信装置を提供する。【構成】  録画部に対する受信番組の録画／再生制御はＣＰＵにより行われる。ＣＰＵは録画処理を行うとき、タイマーを動作させ、経過時間の計測を行う。更に、ＣＰＵは、録画処理中において、録画エラー（録画失敗）の判定を行う。ＣＰＵは、録画エラーが生じたと判定したとき及び録画再開を行ったときには、各時点の経過時間情報を録画番組（番組名、録画日時等）に対応付けして記録する。ＣＰＵは、録画番組の再生指示を受けたときには、番組再生（表示）処理を行うと共に、表示部３６においてインジケータＡの表示を行う。そして、このインジケータＡを利用して録画エラー期間を表示する（黒表示）。【選択図】        図３
2006148601.tif 000002
【特許請求の範囲】
【請求項１】
受信したディジタル放送番組を録画する録画機能部を備えたディジタル放送受信装置において、録画中に録画エラーが生じたかどうかを判断する判断手段と、録画エラーが生じたときにその時間情報を記憶する記憶手段と、前記時間情報を用いて録画番組の録画エラー期間を表示する表示手段と、を備えたことを特徴とするディジタル放送受信装置。
【請求項２】
請求項１に記載のディジタル放送受信装置において、前記表示手段は、録画番組の全時間に対する前記録画エラー期間の位置及び長さを示したグラフィック表示を行うことを特徴とするディジタル放送受信装置。
【請求項３】
請求項１に記載のディジタル放送受信装置において、前記表示手段は、前記録画エラー期間の表示に文字又はピクトグラムを用いることを特徴とするディジタル放送受信装置。
【請求項４】
請求項１乃至請求項３のいずれかに記載のディジタル放送受信装置において、前記時間情報は録画開始時からの経過時間情報であることを特徴とするディジタル放送受信装置。
【請求項５】
請求項１乃至請求項４のいずれかに記載のディジタル放送受信装置において、前記録画エラー期間の表示を再生映像表示と共に行うように構成されたことを特徴とするディジタル放送受信装置。
【請求項６】
請求項１乃至請求項５のいずれかに記載のディジタル放送受信装置において、前記録画エラー期間の表示を、録画番組の情報提示の指令を受けたときに、録画番組の付属情報として提示するように構成されたことを特徴とするディジタル放送受信装置。
【請求項７】
請求項１乃至請求項６のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
従来より、受信したディジタル放送の番組を録画する機能を備えたディジタル放送受信装置が知られている。また、近年においては、携帯電話などの携帯機器や車載用などの移動機器にテレビ視聴機能及び録画機能を備えたものも提案されている（特許文献１参照）。更に、携帯機器或いは移動機器用に地上ディジタル放送（１セグメント放送）が予定されている。
【特許文献１】特開２００３−１０１９２１号公報
【発明の開示】
【発明が解決しようとする課題】
【０００３】
ところで、地上ディジタル放送を受信する携帯機器或いは移動機器において受信番組の録画を行う場合、電波障害などで録画が実行できないことが比較的多く生じると予想される。例えば、１５分間のドラマの録画において、電波障害などのために、最後の５分間の録画が実行できないといった事態が生じるであろう。このような場合に、ユーザが何も知らずにドラマを再生してラスト５分の再生ができなかった場合、ユーザは機器の故障による録画エラーといった誤認をしてしまう可能性がある。また、電波障害などで録画できなかったことを認識できたとしても、再生中に初めてそのようなことを知ったのでは、ユーザの不満が大きくなるものと予想される。
【０００４】
この発明は、上記の事情に鑑み、録画失敗に対するユーザの誤認や不満を解消することができるディジタル放送受信装置を提供することを目的とする。
【課題を解決するための手段】
【０００５】
この発明のディジタル放送受信装置は、上記課題を解決するために、受信したディジタル放送番組を録画する録画機能部を備えたディジタル放送受信装置において、録画中に録画エラーが生じたかどうかを判断する判断手段と、録画エラーが生じたときにその時間情報を記憶する記憶手段と、前記時間情報を用いて録画番組の録画エラー期間を表示する表示手段と、を備えたことを特徴とする。
【０００６】
上記の構成であれば、録画番組の録画エラー期間を表示するので、ユーザは録画番組の再生時或いは再生に先立って録画エラー期間が存在することを知ることができる。
【０００７】
上記構成のディジタル放送受信装置において、前記表示手段は、録画番組の全時間に対する前記録画エラー期間の位置及び長さを示したグラフィック表示を行うように構成されていてもよい。或いは、前記表示手段は、前記録画エラー期間の表示に文字又はピクトグラムを用いるように構成されていてもよい。
【０００８】
これら構成のディジタル放送受信装置において、前記時間情報は録画開始時からの経過時間情報であるのがよい。
【０００９】
また、これら構成のディジタル放送受信装置において、前記録画エラー期間の表示を再生映像表示と共に行うように構成されていてもよい。また、前記録画エラー期間の表示を、録画番組の情報提示の指令を受けたときに、録画番組の付属情報として提示するように構成されていてもよい。
【００１０】
これら構成のディジタル放送受信装置は、地上ディジタル放送を受信する携帯型又は移動型として構成されていてもよい。
【発明の効果】
【００１１】
以上説明したように、この発明によれば、録画エラーが生じたときには、そのこと及びどの時点で生じたのかをユーザに示すことができるので、録画エラーに対するユーザの不満を和らげることができるという効果を奏する。
【発明を実施するための最良の形態】
【００１２】
以下、この発明の実施形態のディジタル放送受信装置を図１乃至図３に基づいて説明する。なお、ここでは、ＴＶ付き携帯電話として構成された地上ディジタル放送受信装置を例示している。
【００１３】
図１はＴＶ付き携帯電話１０を示したブロック図である。このＴＶ付き携携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１４】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１５】
デマルチプレクサ（ＤＥＭＵＸ）３は、前記トランスポート・ストリームを、ＩＥＥＥのＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等をＣＰＵ１３に供給する。
【００１６】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５はＡＶデコーダ４から映像データを受け取り、例えば、ＲＧＢデータを生成する。ＲＧＢデータは前記表示部３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００１８】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や後述するインジケータなどの表示が行えることになる。
【００１９】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。
【００２０】
ＣＰＵ１３は、外部入出力インターフェイス９を介して電話機能部３０と情報の遣り取りを行う。また、ＣＰＵ１３は、ディジタル放送受信部２０によるチャンネルサーチ処理及びそのサーチ結果（チャンネルテーブル）を利用した選局処理等を行うことが可能である。
【００２１】
録画部７には、受信したディジタル放送番組の映像及び音声のストリームを録画することができる。録画部７は半導体メモリ、磁気記録媒体、メモリカード等から成る。録画部７に対する録画／再生制御はＣＰＵ１３により行われる。ＣＰＵ１３は録画処理を行うとき、図示しないタイマーを動作させ、経過時間の計測を行う。更に、ＣＰＵ１３は、録画処理中において、録画エラー（録画失敗）の判定を行う。録画エラーには、受信電波の途切れ、録画部７のメモリ残量不足、地域移動による同一番組継続受信処理の失敗、復調により得たディジタルデータの誤り訂正不能、ＡＶデコーダにより得たデコードデータを録画部７に記録する構成とした場合にはデコードの失敗、電池残量を検出して所定の閾値未満となったときに自動的にチューナ停止する構成とした場合のチューナ停止、着信時等に自動的にチューナ停止する構成とした場合のチューナ停止、などがある。
【００２２】
ＣＰＵ１３は、録画エラーが生じたと判定したとき及び録画再開を行ったときには、各時点の経過時間情報を録画番組（番組名、録画日時等）に関連付けして例えばメモリ１４に記録する。勿論、前記録画部７に経過時間情報を記録してもよい。また、経過時間情報を一時的にメモリ１４に記録しておき、番組を録画部７に録画した後に前記経過時間情報をメモリ１４から読み出し、録画番組の付属情報（関連情報）として録画部７に記録するようにしてもよい。なお、録画エラーのときには録画部７に対するストリーム記録処理は停止される。
【００２３】
ＣＰＵ１３は、録画番組の再生指示を受けたときには、録画部７から当該録画番組の映像及び音声のストリームを読み出してＡＶデコーダ４に供給し、表示部３６において映像表示を行わせると共に、図３に示すように、例えば前記表示部３６の下辺側領域においてＯＳＤによるインジケータＡの表示を行う。ＣＰＵ１３は、当該録画番組についてメモリ１４等に経過時間情報が格納されているかどうかを判定する。経過時間情報が格納されているとき、すなわち、録画エラー期間が存在するときには、その期間に対応した開始位置から終了位置まで所定色（例えば、黒色）の塗りつぶし処理を前記インジケータＡにおいて行う。図３では、録画開始から１７分経過時点で録画エラーとなり、２２分経過時点で録画再開がなされた場合の塗りつぶし処理を例示している。また、ＣＰＵ１３は、前記録画番組の再生処理を行うとき、前記インジケータＡにおいて、再生進捗状況に応じて所定色（前記塗りつぶしの色と同色又は異なる色）のバー表示処理を行う。
【００２４】
このように、録画において録画エラー期間が存在するときには、その期間情報が記憶され、前記インジケータＡを用いてユーザに知らせることができるので、何も知らないまま再生を行って録画に不備があることを知ってしまう場合に比べ、ユーザの不満は格段に少なくなる。
【００２５】
上記の例では、再生時に上記インジケータＡを利用して録画エラーの情報をユーザに示すこととしたが、これに限らず、メニュー画面から例えば「録画情報」といった項目を指定すると、録画情報の一つとして（付属情報として）前記録画エラーの情報が表示されるようにしてもよい。また、インジケータＡを利用して録画エラー期間をユーザに知らせることとしたが、これに限るものではなく、例えば、「録画エラー：１７分−２２分の期間」といった文字メッセージ表示を行うこととしてもよい。また、録画エラーを示すピクトグラムと数字とにより録画エラー期間を示すこととしてもよい。また、録画エラー期間は録画開始時からの経過時間としたが、時刻を用いることとしてもよい。
【００２６】
また、上記の例では、ＴＶ機能付き携帯電話として説明したが、携帯型或いは移動型のディジタル放送受信装置として構成してもよい。また、携帯型或いは移動型に限らず、据え置き型のディジタル放送受信装置としてもよい。また、地上波ディジタル放送に限らず、衛星（ＣＳ／ＢＳ）ディジタル放送の受信装置としても構成できる。なお、録画エラーは携帯型或いは移動型の地上波ディジタル放送受信装置において特に生じやすいので、このような構成において本願発明の利点がより発揮されるものとなる。
【図面の簡単な説明】
【００２７】
【図１】この発明の実施形態の携帯電話を示したブロック図である。
【図２】この発明の実施形態の携帯電話の放送受信部を示したブロック図である。
【図３】この発明の実施形態の携帯電話の外観及び表示内容を示した正面図である。
【符号の説明】
【００２８】
１０    携帯電話
２０    ディジタル放送受信部
３０    電話機能部
３１    制御部
３２    無線通信部
【図１】
2006148601.tif 000003
【図２】
2006148601.tif 000004
【図３】
2006148601.tif 000005